【手続補正書】
【提出日】平成20年10月14日(2008.10.14)
【手続補正１】
【補正対象書類名】特許請求の範囲
【補正対象項目名】全文
【補正方法】変更
【補正の内容】
【特許請求の範囲】
【請求項１】
膣鏡観察チューブは、膣鏡の観察レンズの正面に取外し可能に保持されるように構成され、膣に挿入される寸法に決定されるものであって、その膣鏡観察チューブは、実質的に硬質な近位部分および接合可能な遠位末端部を含むものである外部膣鏡のための膣鏡観察チューブ。
【請求項２】
膣鏡観察チューブがさらに、近位末端部に少なくとも１つの接合制御部材を有し、接合制御部材が、遠位末端部を制御可能に接合する為に遠位末端部に操作可能に連結されている請求項１記載の膣鏡観察チューブ。
【請求項３】
膣鏡観察チューブが、膣鏡と患者との間に実質的に遮光性の結合を提供するために、少なくとも近位末端部と挿入可能な部分との間で実質的に不透明である請求項１記載の膣鏡観察チューブ。
【請求項４】
膣鏡観察チューブが、実質的に平坦な遠位先端部を含む請求項１記載の膣鏡観察チューブ。
【請求項５】
実質的に平坦な遠位先端部が、膣鏡観察チューブの軸に実質的に直角である請求項４記載の膣鏡観察チューブ。
【請求項６】
膣鏡観察チューブが、実質的にドーム型の遠位先端部を含む請求項１記載の膣鏡観察チューブ。
【請求項７】
遠位先端部が、検査に適した寸法に決定され、患者の子宮頸部と接触することにより、子宮頸部の対応部分を実質的に平坦化にするように形成する請求項１記載の膣鏡観察チューブ。
【請求項８】
少なくとも１つの望ましくない波長の照明光が、膣鏡観察チューブの遠位末端部から標的に伝達されるのを選択的、実質的に阻害するように配置および構成された少なくとも１つの照明波長選択性要素を含む請求項１記載の膣鏡観察チューブ。
【請求項９】
照明波長選択性要素が、青色光を実質的に伝達するように構成された短い透過要素（a short pass element）を含む請求項８記載の膣鏡観察チューブ。
【請求項１０】
少なくとも１つの望ましくない波長の検出光が、膣鏡観察チューブの近位末端部から観察レンズおよびスペクトル測定デバイスの内の少なくとも１つに伝達されるのを選択的、実質的に阻害するように配置および構成された少なくとも１つの検出波長選択性要素を含む請求項１または８記載の膣鏡観察チューブ。
【請求項１１】
検出波長選択性要素が、青色および紫外光を実質的に遮断し、青色光より長い波長の光を実質的に伝達するように構成された長い透過要素（a long pass element）を含む請求
項１０記載の膣鏡観察チューブ。
【請求項１２】
検出波長選択性要素が、蛍光誘導照明光を実質的に遮断し、そして蛍光を実質的に伝達するように構成された長い透過要素を含む請求項１０記載の膣鏡観察チューブ。
【請求項１３】
膣鏡観察チューブが、膣鏡観察チューブの遠位末端部から標的に照明光を照射するように構成された照明光発生装置を有し、さらに、
標的から患者の外側で保持されたスペクトル測定装置に、検出光を操作可能に伝達するように構成された分光学経路または、
標的から観察レンズに標的の画像を操作可能に伝達するように構成された画像経路、の内少なくとも一方を有する請求項１記載の膣鏡観察チューブ。
【請求項１４】
膣鏡観察チューブが、さらに、膣鏡観察チューブに対して近位に保持される照明光源から標的に照明光を操作可能に伝達するように構成された照明光経路を含む請求項１３記載の膣鏡観察チューブ。
【請求項１５】
照明光が、金属ハライド光源、ハロゲン光源、レーザーアーク光源、または分光計から得られる光源の内の少なくとも１つを含む請求項１４記載の膣鏡観察チューブ。
【請求項１６】
照明光経路が、光ファイバーライトガイドを含む請求項１４記載の膣鏡観察チューブ。
【請求項１７】
照明光発生装置が、膣鏡観察チューブの遠位末端部に配置される遠位光源を含む請求項１３記載の膣鏡観察チューブ。
【請求項１８】
遠位光源が、青色ＬＥＤ（発光ダイオード）を含む請求項１７記載の膣鏡観察チューブ
【請求項１９】
分光学経路および画像経路が、単独経路である請求項１３記載の膣鏡観察チューブ。
【請求項２０】
照明光経路、分光学経路および画像経路が、単独経路である請求項１４記載の膣鏡観察チューブ。
【請求項２１】
照明光経路、分光学経路および画像経路が、各々個別の経路である請求項１４記載の膣鏡観察チューブ。
【請求項２２】
膣鏡観察チューブの照明光路に配置され、少なくとも１つの望ましくない波長の照明光が、膣鏡観察チューブの遠位末端部から標的に伝達されるのを選択的、実質的に阻害するように構成された少なくとも１つの照明波長選択性要素を含む請求項１３または２０記載の膣鏡観察チューブ。
【請求項２３】
膣鏡観察チューブの検出光路に配置され、少なくとも１つの望ましくない波長の検出光が、膣鏡観察チューブの近位末端部から、観察レンズとスペクトル測定デバイスの内の少なくとも一方に伝達されるのを選択的、実質的に阻害するように構成された少なくとも１つの検出波長選択性要素を含む請求項１３または２０記載の膣鏡観察チューブ。
【請求項２４】
拡張可能な要素を供するために、照明光発生装置、分光学経路および画像経路の内の少なくとも１つが、膣鏡観察チューブの遠位末端部から制御可能に拡張および収縮するように構成される請求項１３記載の膣鏡観察チューブ。
【請求項２５】
照明光発生装置、分光学経路および画像経路が、別個に各々、複数の拡張可能な要素を供するために、膣鏡観察チューブの遠位先端部から制御可能に拡張および収縮する請求項２４記載の膣鏡観察チューブ。
【請求項２６】
膣鏡観察チューブに遠位末端部が含まれ、遠位末端部が、さらに、複数の拡張可能な要素以上の複数のポートを有し、ポートは、拡張可能な要素の通過を可能にする寸法に決定される請求項２５記載の膣鏡観察チューブ。
【請求項２７】
拡張可能な要素が、開口部の内側に適するような寸法に決定され構成される請求項２５または２６記載の膣鏡観察チューブ。
【請求項２８】
拡張可能な要素が、少なくとも１つの側面観察ポートを含む請求項２７記載の膣鏡観察チューブ。
【請求項２９】
膣鏡観察チューブが、さらに、患者の外側に保持されるべき膣鏡観察チューブ上に位置決めされる少なくとも１つの拡張制御部材を有し、
該拡張制御部材は、拡張可能な要素の拡張および収縮の量を制御するために対応する拡張可能な要素に操作可能に装着されている請求項１４または１６記載の膣鏡観察チューブ。
【請求項３０】
分光学経路が、ライトガイドを含む請求項１３記載の膣鏡観察チューブ。
【請求項３１】
照明光経路が、ライトガイドを含む請求項１３記載の膣鏡観察チューブ。
【請求項３２】
膣鏡観察チューブが、さらに、生検経路（biopsy channel）、真空経路、治療光経路、および液体放出経路の内の少なくとも１つを含む請求項１３記載の膣鏡観察チューブ。
【請求項３３】
膣鏡観察チューブが、膣鏡の観察レンズの正面に取り外し可能に保持されるように構成されるとともに、膣内に挿入される寸法に決定され、さらに、
膣鏡観察チューブの遠位末端部から標的に照明光を発生するように構成された照明光発生装置と、
患者の外側で保持されるスペクトル測定デバイスに標的からの検出光を操作可能に伝達するように構成された別個の分光学経路と、
および標的から観察レンズに標的の画像を操作可能に伝達するように構成された別個の画像経路と、を含む外部膣鏡のための取り外し可能な膣鏡観察チューブ。
【請求項３４】
観察レンズの正面に操作可能に結合して保持される膣鏡観察チューブを含む改善がされるとともに、
膣鏡観察チューブは、膣に挿入される寸法に決定され、実質的に硬い近位部分および接合可能な遠位末端部を含むものである、観察レンズを含む外部膣鏡。
【請求項３５】
観察レンズの正面に操作可能な結合で保持される膣鏡観察チューブを含む改善がされ、
膣鏡観察チューブは、膣に挿入される寸法に決定されるとともに、膣鏡観察チューブの遠位末端部から標的に照明光を照射するために構成された照明光発生装置と、
標的から患者の外側に保持されるスペクトル測定デバイスに検出光を操作可能に伝達するように構成された別個の分光学経路、および
標的から観察レンズに標的の画像を操作可能に伝達するように構成された別個の画像経路を含むものである観察レンズを有する外部膣鏡。
【請求項３６】
請求項１または３３に記載の膣鏡観察チューブと膣鏡観察チューブを識別するラベルを含有するキットであって、そのラベル上の標示が、政府の医療関連規制当局によって認可されているラベルであることを特徴とするキット。